(57)【要約】【課題】簡易なロック機能を備え、携帯に便利で低コストの魔法瓶用蓋体を提供する。【解決手段】上蓋（１）と下蓋（２）を備え、上蓋（１）と下蓋（２）は枢着部（８）により連結しており、枢着部（８）には、ねじりばね（１３）が設けられ、上蓋（１）はロック部材（６）とばね板（３）を備え、ロック部材（６）はロックばね（１４）により上蓋（１）と連結され、ロック部材（６）とばね板（３）は相互に合わせられ、共に上蓋（１）の縁側に配設され、下蓋（２）は飲み口（１０）と操作ボタン（５）を備え、飲み口（１０）は下蓋（２）の中心位置にあり、操作ボタン（５）は操作ボタン枢着部（１２）により下蓋（２）に固定され、操作ボタン（５）は下蓋（２）とロック部材（６）相応の縁側に配設され、操作ボタン（５）は復位させるばね（７）と連結している。【選択図】図２
0003182605.tif 000002
【実用新案登録請求の範囲】
【請求項１】
上蓋（１）と下蓋（２）を備え、
上蓋（１）と下蓋（２）は枢着部（８）により連結しており、
枢着部（８）には、ねじりばね（１３）が設けられ、
上蓋（１）はロック部材（６）とばね板（３）を備え、
ロック部材（６）はロックばね（１４）により上蓋（１）と連結され、
ロック部材（６）とばね板（３）は相互に合わせられ、共に上蓋（１）の縁側に配設され、
下蓋（２）は飲み口（１０）と操作ボタン（５）を備え、
飲み口（１０）は下蓋（２）の中心位置にあり、
操作ボタン（５）は操作ボタン枢着部（１２）により下蓋（２）に固定され、
操作ボタン（５）は下蓋（２）の縁側であって、かつ、ロック部材（６）と対向する位置に配設され、
操作ボタン（５）は復位させるばね（７）と連結している、
ことを特徴とする魔法瓶用蓋体。
【請求項２】
前記操作ボタン（５）の表面に凸部（１１）が設けられている、ことを特徴とする請求項１に記載の魔法瓶用蓋体。
【請求項３】
前記上蓋（１）の表面にフック（４）が設けられている、ことを特徴とする請求項１に記載の魔法瓶用蓋体。
【請求項４】
前記フック（４）はリンク状である、ことを特徴とする請求項３に記載の魔法瓶用蓋体。
【請求項５】
前記上蓋（１）の中心位置に前記飲み口（１０）と相応する密閉栓（９）が設けられている、ことを特徴とする請求項１〜４のいずれかに記載の魔法瓶用蓋体。
【考案の詳細な説明】
【技術分野】
【０００１】
本考案は、蓋体に関する技術であり、特にロック機能を持つ魔法瓶用蓋体に関するものである。
【背景技術】
【０００２】
現在、多くの魔法瓶の蓋体の開閉は主に螺旋式を採用している。螺旋式の場合、開閉作業に少なからず時間を要してしまう。特に、喉が非常に渇いている人間にとって、すぐでも水分を補給したい時に、蓋を開けるのにぐるぐる回転しなければならないといったように、非常に不便さを感じるという問題がある。
【先行技術文献】
【特許文献】
【０００３】
【特許文献１】特開２００７−１２６１８６号公報
【考案の概要】
【考案が解決しようとする課題】
【０００４】
上記状況に鑑みて、本考案は、簡易なロック機能を備え、携帯に便利で低コストの魔法瓶用蓋体を提供することを目的とする。
【課題を解決するための手段】
【０００５】
上記課題を解決するために、本考案の魔法瓶用蓋体は、下記１）〜１１）の要件を備える。
１）上蓋（１）と下蓋（２）を備える。
２）上蓋（１）と下蓋（２）は枢着部（８）により連結している。
３）枢着部（８）には、ねじりばね（１３）が設けられる。
４）上蓋（１）はロック部材（６）とばね板（３）を備える。
５）ロック部材（６）はロックばね（１４）により上蓋（１）と連結される。
６）ロック部材（６）とばね板（３）は相互に合わせられ、共に上蓋（１）の縁側に配設される。
７）下蓋（２）は飲み口（１０）と操作ボタン（５）を備える。
８）飲み口（１０）は下蓋（２）の中心位置にある。
９）操作ボタン（５）は操作ボタン枢着部（１２）により下蓋（２）に固定される。
１０）操作ボタン（５）は下蓋（２）の縁側であって、かつ、ロック部材（６）と対向する位置に配設される。
１１）操作ボタン（５）は復位させるばね（７）と連結している。
【０００６】
上記の本考案の魔法瓶用蓋体において、指滑り止めのため、操作ボタン（５）の表面に凸部が設けられていることが好ましい。
【０００７】
また、上記の本考案の魔法瓶用蓋体において、上蓋（１）の表面にフックが設けられていることが好ましい。
【０００８】
また、上記の本考案の魔法瓶用蓋体において、フック（４）はリンク状であることが好ましい。
【０００９】
また、上記の本考案の魔法瓶用蓋体において、上蓋（１）の中心位置に飲み口（１０）と相応する密閉栓が設けられていることが好ましい。
【考案の効果】
【００１０】
本考案に係る魔法瓶用蓋体によれば、ロック機能を持ち、ユーザは魔法瓶蓋を開閉する時間を短縮し、携帯に便利であり、密封性を向上させ、構造が簡単で、低コストで、広く普及することができる。
【図面の簡単な説明】
【００１１】
【図１】本考案に係る魔法瓶用蓋体の構造を示す図である。
【図２】本考案に係る魔法瓶用蓋体を閉める状態の断面構造を示す図である。
【図３】本考案に係る魔法瓶用蓋体を開ける状態の断面構造を示す図である。
【考案を実施するための最良の形態】
【００１２】
以下、本考案の実施形態について、図面を参照しながら詳細に説明していく。なお、本考案の技術的保護範囲は、以下の実施例に限定されるものではない。
【実施例１】
【００１３】
以下、図１〜３を参照しながら、実施例１に係る魔法瓶用蓋体の説明を行う。
実施例１に係る魔法瓶用蓋体は、上蓋１と下蓋２を備え、上蓋１と下蓋２は枢着部８により連結しており、枢着部８にねじりばね１３を設けている。上蓋１はロック部材６とばね板３を備え、ロック部材６はロックばね１４により上蓋１と連結されている。ロック部材６とばね板３は相互に合わせられ、共に上蓋１の縁側に位置している。下蓋２は飲み口１０と操作ボタン５を備え、飲み口１０は下蓋２の中心位置にある。操作ボタン５は操作ボタン枢着部１２により下蓋２に固定される。操作ボタン５は下蓋２の縁側であって、かつ、ロック部材６と対向する位置に配設される。操作ボタン５は復位させるばね７と連結している。
【００１４】
ユーザが水分を取りたい時に、ばね板３を押すと、ロック部材６はロックばね１４の動作により上方にスライドする。そして、操作ボタン５は操作ボタン枢着部１２に沿って回転し、操作ボタン５上にある被係止部とロック部材６上にある係止部の位置から分離したら、上蓋１が開いた状態になる。
上蓋１が開いた状態で、ユーザが飲み口１０から水分を取ることができる。
【００１５】
水分を飲んだ後、上蓋１を枢着部８に沿って回転させると、上蓋１が元の位置に戻る。
そして、ロック部材６を下方に押して復位させ、ロック部材６は元の位置に戻る。その状態で、操作ボタン５はロック部材６によって支えられ、操作ボタン５は動かなくなり、上蓋１は開けられなくなってロックされる。このようにしてロック機能を実現する。
【００１６】
また、操作ボタン５の表面に凸部１１を設けている。また、上蓋１の表面にフック４を設けている。また、フック４はリンク状である。また、上蓋１の中心位置には、飲み口１０を密閉することができる密閉栓９を設けている。
【００１７】
本考案に係る魔法瓶用蓋体はロック機能を持ち、ユーザは魔法瓶蓋を開閉する時間を短縮し、携帯に便利で、密封性を向上し、構造が簡単で、低コストで、広く普及させるには好適である。
【００１８】
以上の内容は、本考案に係る基本な原理及び主な特徴、また本考案の優れた点を記述している。上記実施例及び本明細書において本考案に係る原理しか述べておらず、また本考案の技術的範囲は上記実施例に限定されるものではない。本考案の技術的範囲を離れないことを前提として、本考案は他の変形と改良をすることがあり、上記変形と改良はすべて本考案の保護範囲に入ると考える。本考案の技術的範囲は記述した請求項の内容に限定されるものである。
【産業上の利用可能性】
【００１９】
本考案は、魔法瓶に有用である。
【符号の説明】
【００２０】
１  上蓋  
２  下蓋
３  ばね板
４  フック
５  操作ボタン
６  ロック部材
７  ばね
８  枢着部
９  密閉栓
１０  飲み口
１１  凸部
１２  操作ボタン枢着部
１３  ねじりばね
１４  ロックばね
【図１】
0003182605.tif 000003
【図２】
0003182605.tif 000004
【図３】
0003182605.tif 000005